(57)【要約】【要  約】【課  題】    天板を室外機本体の上部にネジ止めするようにした分離型空気調和機の室外機において、ネジの締め付けによる室外機本体側のネジ孔の変形で、天板が室外機本体から外れ難くなるのを未然に防止できるようにする。【解決手段】  室外機本体１１の上縁部１１Ａに、室外機本体内に収容された圧縮機などの構成部材を覆うためのフタ状の天板１２を外嵌めにより取り付け、その天板の周縁に形成された周側片１２Ａと室外機本体の上縁部とを複数本のネジ２８を介して締め付けるようにした分離型空気調和機の室外機である。そして、天板の周側板１２Ａと室外機本体の上縁部１１Ａとの双方に、ネジを挿通するネジ孔２９、３０をそれぞれ設けると共に、室外機本体の上縁部に設けたネジ孔２９の周縁には、天板１２の周側片１２Ａとの接触面Ｘよりも内側に凹んだ凹み部３１が形成されている構成である。【選択図】          図４
2006258364.tif 000002
【特許請求の範囲】
【請求項１】
室外機本体の上縁部に、室外機本体内に収容された圧縮機などの構成部材を覆うためのフタ状の天板を外嵌めにより取り付け、その天板の周縁に形成された周側片と前記室外機本体の上縁部とを複数本のネジを介して締め付けるようにした分離型空気調和機の室外機において、
前記天板の周側板と室外機本体の上縁部との双方に、前記ネジを挿通するネジ孔をそれぞれ設けると共に、前記室外機本体の上縁部に設けたネジ孔の周縁には、前記天板の周側片との接触面よりも内側に凹んだ凹み部が形成されていることを特徴とする分離型空気調和機の室外機。
【請求項２】
前記凹み部が座押し成型によって形成されていることを特徴とする請求項１に記載の分離型空気調和機の室外機。
【請求項３】
前記凹み部の座押しの深さが約２〜５ｍｍに設定されていることを特徴とする請求項２に記載の分離型空気調和機の室外機。
【発明の詳細な説明】
【技術分野】
【０００１】
本発明は、室外機本体の上部にフタ状の天板を取り付けて、この天板を室外機本体にネジ止めするようにした分離型空気調和機の室外機に関する
【背景技術】
【０００２】
従来、この種の分離型空気調和機の室外機において、圧縮機、アキュムレータ、熱交換器及び送風機などの構成部材を収容した室外機本体の上部に、この室外機本体内に収容した構成部品を覆うようにフタ状の天板を外嵌めして取り付け、そして、この天板を室外機本体上部にネジ止め固定するように構成した室外機が知られて（例えば、特許文献１参照）。
【特許文献１】特開平５−１０６８７０号公報
【発明の開示】
【発明が解決しようとする課題】
【０００３】
一般に、上述したような従来の分離型空気調和機の室外機においては、図７に示すように、室外機本体１の上部に段差を付けて形成した上縁部１Ａと、天板２の周縁部に一体に垂下形成した周側片２Ａとの双方に、締め付け用のネジ５が挿通されるネジ孔６、７をそれぞれ設けている。そして、これらのネジ孔６、７は、互いに容易に重なり合うように、室外機本体１の上縁部１Ａ側に開けたネジ孔６の径Ｄ１よりも、天板２の周側片２Ａ側に開けるネジ孔７の径Ｄ２の方を大きく設定している。
【０００４】
そのため、天板２を室外機本体１にネジ５止めすると、室外機本体１の上縁部１Ａ側に開けたネジ孔６の周囲が、ネジ５の締め付け力によって引っ張られて天板２の周側片２Ａ側に突出するように変形する。そのため、ネジ５を取り外しても、変形突出部分Ｈが前記周側片２Ａ側のネジ孔７に入り込んで引っ掛かり、それが原因となって、天板２が室外機本体１から容易に外れない事態が生じる場合がある。
【０００５】
そのような場合、例えば、修理や保守点検時などにおいて、作業者が天板を持ち上げて室外機本体から取り外そうとすると、室外機全体が持ち上がってしまい、その状態で、重さの重い室外機本体のみが不用意に落下し、室外機本体内の構成部品が落下の衝撃で破損したり、或いは作業者が落下した室外機によって足を傷つけたりするなどの恐れがある。
【０００６】
本発明は上述の実情に鑑みてなされたものであり、天板を室外機本体の上部にネジ止めするようにした分離型空気調和機の室外機において、ネジの締め付けによる室外機本体側のネジ孔の変形で、天板が室外機本体から外れ難くなるのを未然に防止できるようにすることを目的としている。
【課題を解決するための手段】
【０００７】
請求項１に記載の本発明は、室外機本体の上縁部に、室外機本体内に収容された圧縮機などの構成部材を覆うためのフタ状の天板を外嵌めにより取り付け、その天板の周縁に形成された周側片と前記室外機本体の上縁部とを複数本のネジを介して締め付けるようにした分離型空気調和機の室外機において、前記天板の周側板と室外機本体の上縁部との双方に、前記ネジを挿通するネジ孔をそれぞれ設けると共に、前記室外機本体の上縁部に設けたネジ孔の周縁には、前記天板の周側片との接触面よりも内側に凹んだ凹み部が形成されていることを特徴とする。
【０００８】
請求項２記載の本発明は、請求項１に記載の分離型空気調和機の室外機において、前記凹み部が座押し成型によって形成されていることを特徴とする。
【０００９】
請求項２記載の本発明は、請求項２に記載の分離型空気調和機の室外機において、前記凹み部の座押しの深さが約２〜５ｍｍに設定されていることを特徴とする。
【発明の効果】
【００１０】
本発明の分離型空気調和機の室外機によれば、室外機本体の上縁部に設けたネジ孔の周縁には、天板の周側片との接触面よりも内側に凹んだ凹み部が形成されているので、ネジの締め付け力によって室外機本体側のネジ孔の周縁部が変形して突出しても、その変形突出部分が凹部で許容されるため、天板の周側片に開けたネジ孔に変形突出部分が入り込むのを防止し、天板が室外機本体から容易に外れない事態を、簡単な構成で、未然に防ぐことが可能になる。
【発明を実施するための最良の形態】
【００１１】
ネジの締め付けによるネジ孔の変形で、天板が室外機本体から外れ難くなるのを防止できるようにするという目的を、室外機本体の上縁部に、室外機本体内に収容された圧縮機などの構成部材を覆うためのフタ状の天板を外嵌めにより取り付け、その天板の周縁に形成された周側片と室外機本体の上縁部とを複数本のネジを介して締め付けるようにした分離型空気調和機の室外機において、天板の周側板と室外機本体の上縁部との双方に、ネジを挿通するネジ孔をそれぞれ設けると共に、室外機本体の上縁部に設けたネジ孔の周縁には、天板の周側片との接触面よりも内側に凹んだ凹み部を形成する構成としたことで実現した。
【実施例１】
【００１２】
次に、本発明における分離型空気調和機の室外機の実施例１について、図１ないし図５を用いて説明する。図１は本発明の実施例１にかかる分離型空気調和機の室外機の斜視図である。図２は室外機の概略の平面図である。図３は天板を外した状態の室外機の斜視図である。図４は室外機の要部拡大断面図である。図５は室外機本体の要部拡大斜視図である。
【００１３】
エアコンディショナーなどの分離型空気調和機の室外機１０は、その外郭を室外機本体１１と、この室外機本体１１の上部に着脱可能に取り付けられるフタ状の天板１２とから構成しており、箱体状を成している。
【００１４】
前記室外機本体１１は、略矩形の底板１３、前面パネル１４、左右側板１５、１６及び背面側の左右側板１５、１６間に配された吸い込み側の保護ネット１７を備えている。前記前面パネル１４には、前面開口１８が設けられ、この前面開口１８の前方を覆うように吹き出しグリル１９が取り付けられている。また、前記天板１２、底板１３、前面パネル１４及び左右側板１５、１６は、それぞれ板金で作られている。
【００１５】
次に室外機１０の内部について説明すると、この室外機１０の内部空間は、図２に示すように仕切り板２０で左右に区切られ、左側の室が室外熱交換器２１および送風機２２が収容配置される熱交換器室２３となり、また、右側の室が圧縮機２４、アキュムレータ２５、及び四方切り換え弁（図示せず）などが収容配置される機械室２６になっている。そして、前記圧縮機２４及び室外熱交換器２１は底板１３上に固定されている。
【００１６】
前記送風機２２が駆動すると、左側の側板１５の空気孔（図示せず）及び保護ネット１７で覆われた背面開口２７から外気が熱交換器室２３内に吸い込まれ、室外熱交換器２１で熱交換した後に、前面開口１８及び吹き出しグリル１９を介して前面パネル１４の前方へ吹き出される。
【００１７】
次に、室外機本体１１に対する天板１２の固定構造について詳述する。前記室外機本体１１を構成する前面パネル１４及び左右側板１５、１６の上端部には、それぞれ内側に凹む段差が付けられた上縁部１１Ａ、１１Ａ、１１Ａが折曲形成されている。
【００１８】
一方、前記天板１２は、それの周縁全周に周側片１２Ａ、１２Ａが一体に垂下形成されてフタ状を呈しており、そして、この天板１２は、室外機本体１１内に収容された圧縮機２４、アキュムレータ２５及び四方切り換え弁（図示せず）などの構成部材を覆うために外嵌めにより室外機本体１１の上縁部１１Ａに被せて取り付け、複数本のネジ２８、２８を介して締め付ける構成としている。
【００１９】
また、前記室外機本体１１の上縁部１１Ａと天板１２の周側板１２Ａとの双方には、前記ネジ２８の軸部２８Ａを挿通するネジ孔２９、３０がそれぞれ設けられている。これらネジ孔２９、３０は、水平方向において互いに容易に重なり合うように、室外機本体１１の上縁部１１Ａ側に開けたネジ孔２９の径Ｄ１よりも、天板１２の周側片１２Ａ側に開けたネジ孔３０の径Ｄ２の方を大きな径に設定している。
【００２０】
そして、図４及び図５に示すように、前記室外機本体１１の上縁部１１Ａに設けられたネジ孔２９の周縁には、前記天板１２の周側片１２Ａとの接触面Ｘよりも内側に凹んだ平面視円形の凹み部３１がそれぞれ形成されている。この凹み部３１は、プレス加工による座押し成形によって形成され、また、その深さ寸法Ｔは約２〜５ｍｍに設定されている。
【００２１】
このようにして、天板１２を室外機本体１１にネジ２８止めすると、室外機本体１１の上縁部１１Ａ側に開けたネジ孔２９の周囲が、ネジ２８の締め付け力によって引っ張られて天板１２の周側片１２Ａ側に突出するように変形するが、その変形突出部分Ｈは、前記周側片１２Ａ側のネジ孔３０にまで至らずに凹み部３１内に収まってこの凹み部３１にて許容されることになり、前記ネジ２８を外して、天板１２を室外機本体１１から取り外す場合に、天板１２が室外機本体１１から容易に外れない不具合を未然に防止できる。
【００２２】
以上のことから、例えば、修理や保守点検時などにおいて、作業者が天板１２を持ち上げて室外機本体１１から取り外す際に、その天板１２の取り外しが容易に行えるものであり、そのため、室外機全体が持ち上がり、その状態で、重さの重い室外機本体のみが不用意に落下し、室外機本体内の構成部品が落下の衝撃で破損したり、或いは作業者が落下した室外機によって足を傷つけたりするような事態が回避される。
【実施例２】
【００２３】
図６は、本発明の実施例２にかかる室外機本体の要部拡大斜視図であり、上記実施例１と同一構成要素には、同一符号を付してその説明を簡略する。
【００２４】
実施例１では、室外機本体１１の上縁部１１Ａに設けられたネジ孔２９の周縁に、天板１２の周側片１２Ａとの接触面Ｘよりも内側に凹んだ平面視円形の凹み部３１をそれぞれ形成しているが、この実施例２のものでは、凹み部３１の形状がその上部を上縁部１１Ａの最上縁まで至るように舌状に形成している。
【００２５】
この実施例２のようにしても、上記実施例１のものと、同じ作用効果が期待できるものである。
【００２６】
以上、本発明の実施例を詳述したが、本発明は、前記各実施例に限定されるものではなく、特許請求の範囲に記載された本発明の要旨の範囲内で、種々の変更を行うことが可能である。
【図面の簡単な説明】
【００２７】
【図１】本発明の実施例１にかかる分離型空気調和機の室外機の斜視図である。
【図２】同じく室外機の概略の平面図である。
【図３】同じく天板を外した状態の室外機の斜視図である。
【図４】同じく室外機の要部拡大断面図である。
【図５】同じく室外機本体の要部拡大斜視図である。
【図６】本発明の実施例２にかかる室外機本体の要部拡大斜視図である。
【図７】従来の分離型空気調和機における室外機の要部拡大断面図である。
【符号の説明】
【００２８】
１０      室外機
１１      室外機本体
１１Ａ    上縁部
１２      天板
１２Ａ    周側片
２８      ネジ
２８Ａ    ネジの軸部
２９      ネジ孔
３０      ネジ孔
３１      凹み部
Ｄ１    上縁部側のネジ孔の径
Ｄ２    周側片側のネジ孔の径
Ｈ      変形突出部分
Ｔ      凹み部の深さ寸法
Ｘ      接触面
【図１】
2006258364.tif 000003
【図２】
2006258364.tif 000004
【図３】
2006258364.tif 000005
【図４】
2006258364.tif 000006
【図５】
2006258364.tif 000007
【図６】
2006258364.tif 000008
【図７】
2006258364.tif 000009